(57)【特許請求の範囲】
【請求項１】
時分割デュプレックス(ＴＤＤ)通信システムにおいて、端末(ＵＥ)が一つ以上のダウンリンクデータチャンネルを介して送信時間間隔（ＴＴＩ）で受信されたデータ送信ブロック(ＴＢ)に対する応答で確認応答情報を送信する方法であって、
第１の条件が適用される場合、複数のデータ送信ブロックに対する受信結果の状態を共同で表す４個の確認応答情報ビットを含む確認応答情報を生成するステップと、
第２の条件が適用される場合、各データ送信ブロック（ＴＢ）の受信結果を対応する確認応答情報ビットで各々示す確認応答情報を生成するステップと、
前記生成された確認応答情報を符号化するステップと、
前記符号化された確認応答情報をアップリンクデータと多重化するステップと、
前記多重化された確認応答情報とアップリンクデータをアップリンクデータチャンネルで送信するステップと、を含み、
前記第１の条件は、前記端末が２つのセルから前記ダウンリンクデータチャンネルの受信のために構成され、前記ＴＴＩの個数は３または４であり、
前記第２の条件は、前記端末が単一セルから前記ダウンリンクデータチャンネルの受信のために構成されるか、または前記端末が２つのセルから前記ダウンリンクデータチャンネルの受信のために構成され、前記ＴＴＩの個数は１または２であることを特徴とする方法。
【請求項２】
前記符号化はリードマラー（ＲＭ）符号化であることを特徴とする請求項１に記載の方法。
【請求項３】
前記受信結果の状態の一つは、前記第１の条件が適用される場合、全ての確認応答情報ビット｛０，０，０，０｝により前記２つのセルのうち第１及び第２のセルのそれぞれに対して｛ＮＡＣＫ，ａｎｙ，ａｎｙ，ａｎｙ｝及び｛ＮＡＣＫ／ＤＴＸ，ａｎｙ，ａｎｙ，ａｎｙ｝で示され、
前記ＮＡＣＫは否定応答を示し、ＤＴＸは不連続送信を示し、前記ａｎｙは肯定応答または否定応答／不連続送信のうち一つを示すことを特徴とする請求項１に記載の方法。
【請求項４】
前記端末が前記ダウンリンクデータチャンネルで１つより多くのデータ送信ブロックを受信する場合、前記端末により単一受信結果が発生され、
前記単一受信結果は、前記データ送信ブロックの全部が正確に検出される場合に正確な検出を示し、前記データ送信ブロックのうち少なくとも一つが前記端末により不正確に検出される場合には、前記ＵＥにより不正確な検出を示すことを特徴とする請求項１に記載の方法。
【請求項５】
前記端末が一つのＴＴＩでデータ送信ブロック又は前記ダウンリンクデータチャンネルの送信を解除する制御チャンネルを検出しない場合、前記端末は不正確な検出を示す単一受信結果を生成することを特徴とする請求項１に記載の方法。
【請求項６】
前記確認応答情報をアップリンク制御チャンネルを介して伝送するステップをさらに含み、
前記アップリンク制御チャンネルを介して伝送される確認応答情報は、前記アップリンク制御チャンネルのリソースを表すビットと前記アップリンク制御チャンネルのコンステレーションポイントを表すビットを用いて生成されることを特徴とする請求項１に記載の方法。
【請求項７】
時分割デュプレックス(ＴＤＤ)通信システムにおいて、一つ以上のダウンリンクデータチャンネルを介して送信時間間隔（ＴＴＩ）で受信されたデータ送信ブロックに応答して確認応答情報を送信する端末(ＵＥ)であって、
第１の条件が適用される場合、複数のデータ送信ブロックに対する受信結果の状態を共同で示す４個の確認応答情報ビットを含む確認応答情報を生成し、第２の条件が適用される場合、各データ送信ブロック（ＴＢ）の受信結果を対応する確認応答情報ビットで各々示す確認応答情報を生成する制御器と、
前記生成された確認応答情報を符号化する符号化器と、
前記符号化された確認応答情報をアップリンクデータと多重化するマルチプレクサと、
前記多重化された確認応答情報とアップリンクデータをアップリンクデータチャネルで送信する送信器と、を含み、
前記第１の条件は、前記端末が２つのセルから前記ダウンリンクデータチャンネルの受信のために構成され、前記ＴＴＩの個数は３または４であり、
前記第２の条件は、前記端末が単一セルから前記ダウンリンクデータチャンネルの受信のために構成されるか、または前記端末が２つのセルから前記ダウンリンクデータチャンネルの受信のために構成され、前記ＴＴＩの個数は１または２であることを特徴とする端末。
【請求項８】
前記符号化はリードマラー（ＲＭ）符号化であることを特徴とする請求項７に記載の端末。
【請求項９】
前記受信結果の状態の一つは、前記第１の条件が適用される場合、全ての確認応答情報ビット｛０，０，０，０｝により前記２つのセルのうち第１及び第２のセルのそれぞれに対して｛ＮＡＣＫ，ａｎｙ，ａｎｙ，ａｎｙ｝及び｛ＮＡＣＫ／ＤＴＸ，ａｎｙ，ａｎｙ，ａｎｙ｝で示され、
前記ＮＡＣＫは否定応答を示し、ＤＴＸは不連続送信を示し、前記ａｎｙは肯定応答または否定応答／不連続送信のうち一つを示すことを特徴とする請求項７に記載の端末。
【請求項１０】
前記制御器は、前記ダウンリンクデータチャンネルで１つより多くのデータ送信ブロックを受信する場合に単一受信結果を生成し、
前記制御器は、前記単一受信結果を、前記データ送信ブロックの全部が正確に検出される場合に正確な検出を示すように表示し、前記データ送信ブロックのうち少なくとも一つが不正確に検出される場合には、前記単一受信結果が不正確な検出を示すように表示することを特徴とする請求項７に記載の端末。
【請求項１１】
前記制御器は、一つのＴＴＩでデータ送信ブロック又は前記ダウンリンクデータチャンネルの送信を解除する制御チャンネルを検出しない場合、前記確認応答情報として不正確な検出を表す単一受信結果を生成することを特徴とする請求項７に記載の端末。
【請求項１２】
前記送信器は、前記確認応答情報をアップリンク制御チャンネルを介して伝送するように構成され、
前記制御器は、前記アップリンク制御チャンネルのリソースを表すビットと前記アップリンク制御チャンネルのコンステレーションポイントを表すビットを用いて前記アップリンク制御チャンネルを介して伝送される確認応答情報を生成することを特徴とする請求項７に記載の端末。
【発明の詳細な説明】
【技術分野】
【０００１】
本発明は一般的に無線通信システムに関するもので、特に通信システムのアップリンクで確認応答情報の送信に関する。
【背景技術】
【０００２】
通信システムは、基地局(ＢＳ又はＮｏｄｅ Ｂ)からユーザー装置(ＵＥ)へ送信信号を伝達するダウンリンク(ＤＬ)とＵＥからＮｏｄｅ Ｂへ送信信号を伝達するアップリンク(ＵＬ)を含む。
【０００３】
より詳細には、ＵＬは、情報内容を搬送するデータ信号の送信、ＤＬでデータ信号の送信に関連した制御情報を提供する制御信号の送信、及び一般的にパイロット信号と称される基準信号(ＲＳ)の送信を伝達する。また、ＤＬは、データ信号、制御信号、及びＲＳの送信を伝達する。ＵＬ信号は、ＤＦＴ-Ｓ-ＯＦＤＭ(Discrete  Fourier  Transform  Spread  Orthogonal  Frequency  Division  Multiplexing)方法を使用して連続ＲＥのクラスターを通じて送信できる。ＤＬ信号は、ＯＦＤＭ方法を使用して送信できる。
【０００４】
ＵＬデータ信号は、物理的アップリンク共有チャンネル(ＰＵＳＣＨ)を介して伝えられ、ＤＬデータ信号は、物理的ダウンリンク共有チャンネル(ＰＤＳＣＨ)を介して伝達される。
【０００５】
ＰＵＳＣＨ送信がない場合、ＵＥは物理的アップリンク制御チャンネル(ＰＵＣＣＨ)を介してＵＬ制御情報(ＵＣＩ)を伝送する。しかしながら、ＵＥがＰＵＳＣＨ送信を有する場合には、ＰＵＳＣＨを介してデータと一緒にＵＣＩを伝達できる。
【０００６】
ＤＬ制御信号は、ＵＥ固有特性(UE-specific  nature)によってブロードキャスト又は送信され得る。したがって、ＵＥ固有制御チャンネルは、他の目的の中でも、ＰＤＳＣＨ受信のためのスケジューリング割り当て(ＤＬ  ＳＡ)又はＰＵＳＣＨ送信のためのスケジューリング割り当て(ＵＬ  ＳＡ)をＵＥに提供するために使用することができる。ＳＡは、各物理的ＤＬ制御チャンネル(ＰＤＣＣＨ)を介してＤＬ制御情報(ＤＣＩ)フォーマットを用いてＮｏｄｅ Ｂから各ＵＥに送信される。
【０００７】
Ｎｏｄｅ Ｂは、無線リソース制御(ＲＲＣ)シグナリングのように、上位階層シグナリング、ＰＤＳＣＨ、及びＰＵＳＣＨ送信モード(ＴＭ)を通じてＵＥを構成できる。ＰＤＳＣＨ  ＴＭ又はＰＵＳＣＨ  ＴＭは、各々ＤＬ  ＳＡ又はＵＬ  ＳＡに関連して、各ＰＤＳＣＨ又はＰＵＳＣＨが一つのデータ送信ブロック(ＴＢ)又は２個のデータＴＢを伝達するか否かを定義する。
【０００８】
ＰＤＳＣＨ又はＰＵＳＣＨ送信は、それぞれのＤＬ  ＳＡ又はＵＬ  ＳＡを用いて上位階層シグナリング又は物理的階層シグナリング(例えば、ＰＤＣＣＨ)を通じてＮｏｄｅ ＢによりＵＥにスケジューリングされ、与えられたＨＡＲＱ(Hybrid  Automatic  Repeat  request)過程のための非適応的再送信に対応する。上位階層シグナリングによるスケジューリングは半永久的スケジューリング(Semi-Persistent  Scheduling：ＳＰＳ )と称され、ＰＤＣＣＨによるスケジューリングは動的スケジューリングと称される。ＰＤＣＣＨは、ＳＰＳ  ＰＤＳＣＨを解除するために使用することができる。ＵＥがＰＤＣＣＨを検出しない場合、このようなイベントは、不連続送信(ＤＴＸ)と称される。
【０００９】
ＵＣＩは、ＨＡＲＱ過程に関連した確認応答(ＡＣＫ)情報(ＨＡＲＱ-ＡＣＫ)を含む。ＨＡＲＱ-ＡＣＫ情報は、複数のデータＴＢの正確な検出又は不正確な検出を表す複数のビットを含むことができる。通常、データＴＢの正確な検出は、肯定応答(すなわち、ＡＣＫ)で表す一方で、データＴＢの不正確な検出は否定応答(ＮＡＣＫ)で表す。ＵＥがＰＤＣＣＨをミスする(例えば、検出しない)場合、これは、明示的又は暗黙的に(信号送信がない場合)、ＤＴＸ(３ステート(tri-state)ＨＡＲＱ-ＡＣＫ情報)又はＤＴＸとＴＢの不正確な受信が両方とも(結合されたＮＡＣＫ/ＤＴＸ状態で)ＮＡＣＫにより表現できることを示す。
【００１０】
時分割デュプレックス(ＴＤＤ)システムにおいて、ＤＬとＵＬ送信は、サブフレームと呼ばれる相互に異なる送信時間間隔(ＴＴＩ)で発生する。例えば、１０個のサブフレームを含むフレームで、一部のサブフレームはＤＬ送信に使用され、一部はＵＬ送信に使用される。
【００１１】
【数１】
0006022543.tif 000002
【００１２】
図１は、ＰＵＳＣＨ又はＰＵＣＣＨに対する従来のＴＴＩを示す。
【００１３】
【数２】
0006022543.tif 000003
【００１４】
図２は、ＰＵＣＣＨサブフレームスロットで従来のＨＡＲＱ-ＡＣＫ送信構造を示す。
【００１５】
図２を参照すると、ＨＡＲＱ-ＡＣＫビットｂ２１０は、ＣＡＺＡＣ(Constant  Amplitude  Zero  Auto-Correlation)シーケンス２３０、例えばＢＰＳＫ(Binary  Phase  Shift  Keying)を用いてｂ＝ｂ０で、あるいはＱＰＳＫ(Quaternary  Phase  Shift  Keying)を用いてｂ＝(ｂ０，ｂ１)で変調(２２０)する。変調されたＣＡＺＡＣシーケンスは、逆高速周波数変換(Inverse  Fast  Frequency Transform：ＩＦＦＴ)２４０を遂行した後に送信される。ＲＳは、ＩＦＦＴ２５０を遂行した後に非変調(non-modulated)ＣＡＺＡＣシーケンスを通じて送信される。
【００１６】
図３は、ＰＵＣＣＨに対する従来の送信器を示すブロック構成図である。
【００１７】
図３を参照すると、ＣＡＺＡＣシーケンス３１０は、ＲＳに対する変調がない場合、あるいはＨＡＲＱ-ＡＣＫ情報に対する変調がある場合に使用される。図３の送信器は、選択器３２０、サブキャリアマッパ３３０、ＩＦＦＴ部３４０、サイクリックシフタ３５０、サイクリックプレフィックス(ＣＰ)挿入器３６０、及び時間ウィンドウイングのためフィルタ３７０を含む。サブキャリアマッパ３３０でサブキャリアマッピングのために、選択器３２０は、各々第１のスロット及び第２のスロットでＣＡＺＡＣシーケンスの送信のために第１のＰＲＢと第２のＰＲＢを選択する。その後、ＩＦＦＴ部３４０はＩＦＦＴを遂行し、サイクリックシフタ３５０は、ＩＦＦＴ部３４０の出力にサイクリックシフト(ＣＳ)を適用する。ＣＰ挿入器３６０とフィルタ３７０によりＣＰ及びフィルタリングが適用される。以後、上記信号３８０が送信される。デジタル-アナログ変換器(ＤＡＣ)、アナログフィルタ、増幅器、送信器アンテナのような付加送信器回路は、簡潔さのために示されない。
【００１８】
図４は、ＰＵＣＣＨに対する従来の受信器を示すブロック構成図である。
【００１９】
図４を参照すると、図３の受信器は、時間ウィンドウイングのためのフィルタ４２０、ＣＰ除去器４３０、ＣＳ復元器(restorer)４４０、高速フーリエ変換(ＦＦＴ)部４５０、サブキャリアデマッパ４６０、選択器４６５、及び乗算器４７０を含む。アンテナ(図示せず)は、アナログ信号を受信し、(簡潔さのために図示しないフィルタ、増幅器、周波数ダウンコンバータ、及びアナログ-デジタルコンバータ(ＡＤＣ)のような)処理部を経た後に、受信されたデジタル信号４１０は、フィルタ４２０とＣＰ除去器４３０を通過する。以後に、ＣＳは、ＣＳ復元器４４０により復元され、ＦＦＴ部４５０はサブキャリアデマッパ４６０でサブキャリアデマッピングのためにＦＦＴを適用し、選択器４６５は、各々第１のスロットと第２のスロットで第１のＰＲＢと第２のＰＲＢのＲＥを選択し、乗算器４７０は、ＲＥをＣＡＺＡＣシーケンス４８０の写し(replica))と相関させる。出力４９０は、サブフレームシンボルがＲＳを伝達する場合には時間-周波数補間器(interpolator)のようなチャンネル推定部に、サブフレームシンボルがＨＡＲＱ-ＡＣＫ信号を伝達する場合には検出部を通過することができる。
【００２０】
【数３】
0006022543.tif 000004
【００２１】
ＣＡＺＡＣシーケンスの異なるＣＳを用いて同一のＰＲＢでＨＡＲＱ-ＡＣＫ信号とＲＳの直交多重化に加えて、直交多重化は、直交カバーリングコード(ＯＣＣ)を用いて時間ドメインでなされることができる。例えば、図２で、ＨＡＲＱ-ＡＣＫ信号は、ウォルシュアダマール(ＷＨ)ＯＣＣのような長さ４のＯＣＣにより変調される一方、ＲＳは、ＤＦＴ  ＯＣＣ(図示せず)のような長さ３のＯＣＣにより変調できる。ＯＣＣを使用する場合、ＰＲＢ当たり多重化容量は、(より短い長さを有するＯＣＣにより決定される)因数(factor)３だけ増加する。ＷＨ  ＯＣＣのセット{Ｗ０，Ｗ１，Ｗ２，Ｗ３}とＤＦＴ  ＯＣＣのセット{Ｄ０，Ｄ１，Ｄ２}は、各々次のようである。
【００２２】
【数４】
0006022543.tif 000005
【００２３】
＜表１＞は、シンボル当たり６個のＣＳと長さ３のＯＣＣ(３個のＣＳは各ＯＣＣに使用される)を仮定する場合、ＨＡＲＱ-ＡＣＫ信号に使用されるＰＵＣＣＨリソースｎPUCCHに対するマッピングとＯＣＣ  ｎOCとＣＳαに対するＲＳ送信を表す。ＰＵＣＣＨ  ＰＲＢ内のすべてのリソースが使用される場合、すぐ次のＰＲＢのリソースが使用できる。
【００２４】
【表１】
0006022543.tif 000006
【００２５】
ＰＤＣＣＨは、制御チャンネル要素(ＣＣＥ)と呼ばれる基本ユニットで送信される。各ＣＣＥは、３６個のＲＥで構成することができる。ＵＥは、サービングＮｏｄｅ Ｂにより物理的制御フォーマットインジケータチャンネル(ＰＣＦＩＣＨ)の送信を通じて総個数ＮCCEのＣＣＥの通知を受ける。ＰＣＦＩＣＨは、各ＤＬサブフレームでＰＤＣＣＨ送信に使用されるＯＦＤＭシンボルの数を表す。ＨＡＲＱ-ＡＣＫ信号送信のためのＰＵＣＣＨリソース(ＰＲＢ、ＣＳ、ＯＣＣ)とＰＤＣＣＨ  ＣＣＥとの間に、１対１マッピングが存在する。例えば、単一ＰＵＣＣＨリソースがＨＡＲＱ-ＡＣＫ信号送信に使用される場合、これは、各ＤＬ  ＳＡを伝達するＰＤＣＣＨで最も低いインデックスを有するＣＣＥから生成することができる。
【００２６】
ＴＤＤシステムにおいて、ＤＬ及びＵＬ送信は、異なるサブフレームで発生し、Ｍ≧１のＤＬサブフレームは、単一ＵＬサブフレームと関連することができる。この関連は、Ｍ≧１のＤＬサブフレームでデータＴＢの受信に応答して生成されるＨＡＲＱ-ＡＣＫ情報が単一ＵＬサブフレームで送信されることを意味する。Ｍ≧１のＤＬサブフレームのセットは、バンドリングウィンドウと称される。ＤＬサブフレームインデックスをｍ＝０，１，…，Ｍ-１で示し、ｐのＰＣＦＩＣＨ値に対するＣＣＥの数をＮｐ(Ｎ０＝０)で示し、及びサブフレームｍでＤＬ  ＳＡの第１のＰＤＣＣＨ  ＣＣＥをｎCCE(ｍ)で示すと、ＨＡＲＱ-ＡＣＫ信号送信のためのＰＵＣＣＨリソースインデックスは、下記のように説明される。
【００２７】
【数５】
0006022543.tif 000007
【００２８】
ＰＵＣＣＨでＨＡＲＱ-ＡＣＫ情報は、(利用可能なＰＵＣＣＨリソースのセットからのＰＵＣＣＨリソースの選択を参照して)ＨＡＲＱ-ＡＣＫ時間ドメインバンドリング及びチャンネル選択を用いるＨＡＲＱ-ＡＣＫ多重化を含むいくつかの方法で伝達することができる。これら２つのケースでは、ＨＡＲＱ-ＡＣＫ空間ドメインバンドリングが適用され、ＵＥは、ＰＤＳＣＨですべてのデータＴＢを正確に受信する場合だけにＡＣＫを生成し、そうでない場合にはＮＡＣＫを生成する。
【００２９】
ＨＡＲＱ-ＡＣＫ時間ドメインバンドリングの場合、ＵＥは、バンドリングウィンドウですべてのＴＢを正確に受信した場合のみにＡＣＫを生成し、それともＮＡＣＫを生成する。したがって、ＨＡＲＱ-ＡＣＫ時間ドメインバンドリングは、バンドリングウィンドウでＵＥがＴＢのうち一部を正確に受信する場合でもＮＡＣＫが送信されるので、不必要な再送信が発生する。
【００３０】
チャンネル選択を用いるＨＡＲＱ-ＡＣＫ多重化の場合、ＵＥは、可能なリソースのセットからＰＵＣＣＨリソースを選択し、ＱＰＳＫ変調を用いてＨＡＲＱ-ＡＣＫ信号を変調して、バンドリングウィンドウで各ＤＬサブフレームに対するＨＡＲＱ-ＡＣＫ情報を伝達する。
【００３１】
＜表２＞は、単一ＤＬセルと単一ＵＬセルを有するＴＤＤシステムでＭ＝３である場合に対してチャンネル選択を用いるＨＡＲＱ-ＡＣＫ多重化を示す。特に、ＵＥは、ＱＰＳＫコンステレーションポイント(constellation  point)を用いてＨＡＲＱ-ＡＣＫ信号を変調し、各々第１、第２、又は第３のＤＬサブフレーム(存在する場合)でＤＬ  ＳＡを伝達する各ＰＤＣＣＨの第１のＣＣＥにより決定されるＰＵＣＣＨリソースｎPUCCH(０)，ｎPUCCH(１)、又はｎPUCCH(２)のうちいずれか一つを選択する。
【００３２】
ＵＥへのＰＤＳＣＨ送信の累積された数(accumulative  number)を表すダウンリンク割り当てインデックス(ＤＡＩ)情報要素(ＩＥ)を、ＤＬ  ＳＡを伝達するＤＣＩフォーマットに含めることによって、明示的ＤＴＸ表示が可能になる(ＤＡＩ  ＩＥは、バンドリングウィンドウ内のカウンタである)。
【００３３】
【表２】
0006022543.tif 000008
【００３４】
【数６】
0006022543.tif 000009
【００３５】
【表３】
0006022543.tif 000010
【００３６】
【数７】
0006022543.tif 000011
【００３７】
図５は、ＰＵＳＣＨでデータとＨＡＲＱ-ＡＣＫのための従来の送信器を示すブロック構成図である。
【００３８】
図５を参照すると、送信器は、データエンコーダ５１５、ＲＭエンコーダ５２０、パンクチャ(puncturer)/挿入器５３０、ＤＦＴ部５４０、サブキャリアマッパ５５０、選択器５５５、ＩＦＦＴ部５６０、ＣＰ挿入器５７０、及び時間ウィンドウイングのためのフィルタ５８０を含む。データ情報ビット５０５とＨＡＲＱ-ＡＣＫ情報ビット５１０は、各々データエンコーダ５１５とＲＭエンコーダ５２０に提供される。２個のＨＡＲＱ-ＡＣＫ情報ビットの場合、単一エンコーダがＲＭエンコーダ５２０の代りに使用される。符号化されたデータビットは、パンクチャ/挿入器５３０により穿孔されて符号化されたＨＡＲＱ-ＡＣＫビットに代替される。その結果は、ＤＦＴ部５４０に入力される。選択器５５５は、サブキャリアマッパ５５０でサブキャリアマッピングのためのＰＵＳＣＨ送信ＢＷに対応するＲＥを選択し、これは、ＩＦＦＴ部５６０に入力される。ＣＰは、ＣＰ挿入器５７０により挿入され、ＣＰ挿入された信号は、送信される前に(５９０)フィルタ５８０を通過する。また、追加送信器回路は、簡潔さのために示されない。また、送信されるビットに対する変調過程は、簡潔性のために省略される。
【００３９】
図６は、ＰＵＳＣＨでデータとＨＡＲＱ-ＡＣＫのための受信器ブロックを示す従来のブロック構成図である。
【００４０】
図６を参照すると、受信器は、時間ウィンドウイングのためのフィルタ６２０、ＣＰ除去器６３０、ＦＦＴ部６４０、サブキャリアデマッパ６５０、選択器６５５、逆ＤＦＴ(ＩＤＦＴ)部６６０、デマルチプレクサ６７０、データデコーダ６８０、及びＲＭデコーダ６８５を含む。アンテナ(図示せず)が無線周波数(ＲＦ)アナログ信号を受信して追加処理部(図示せず)がアナログ信号をデジタル信号６１０に変換した後に、デジタル信号６１０は、フィルタ６２０とＣＰ除去器６３０を通過する。ＣＰ除去器６３０の出力は、ＦＦＴ部６４０に提供され、選択器６５５は、送信器により使用されるＲＥを選択するようにサブキャリアデマッパ６５０を制御する。獲得した値は、ＩＤＦＴ部６６０とデマルチプレクサ６７０に提供され、デマルチプレクサ６７０は、符号化されたデータビットを出力する。各々データ情報ビット６９０とＨＡＲＱ-ＡＣＫ情報ビット６９５を出力するために、符号化されたデータビットはデータデコーダ６８０に提供され、符号化されたＨＡＲＱ-ＡＣＫビットはＲＭデコーダ６８５に提供される。２個のＨＡＲＱ-ＡＣＫ情報ビットの場合、ＲＭデコーダ６８５の代りに単一デコーダーが使用される。図５に示す送信器と同様に、チャンネル推定、復調、及び復号化のような受信器機能は、簡潔さのために図６に示されていない。
【００４１】
ＵＥにサポート可能なデータレートを増加させるために、Ｎｏｄｅ Ｂは、ＤＬとＵＬ両方ともＵＥに複数のセルを構成し、効果的により高い動作ＢＷを提供する。例えば、４０ＭＨｚ以上の通信をサポートするために、２個の２０ＭＨｚセルはＵＥに構成される。ＵＥは、通信を維持するためにＤＬセルとＵＬセルが構成され、このような各セルは１次セル(Ｐｃｅｌｌ)と称される。ＵＥが構成され得る追加セルは、２次セル(Ｓｃｅｌｌ)と称される。
【００４２】
ＨＡＲＱ-ＡＣＫ情報の送信は、ＵＬ  ＰｃｅｌｌのＰＵＣＣＨにあり得る。チャンネル選択を使用するＨＡＲＱ-ＡＣＫ多重化の場合、別途のＰＵＣＣＨリソースは、バンドリングウィンドウの各サブフレームと各ＤＬセルでＰＤＳＣＨ受信に応答してＨＡＲＱ-ＡＣＫ信号送信のためにＵＬ  Ｐｃｅｌｌで割り当てられる。
【００４３】
２個の構成されたセルとバンドリングウィンドウのサイズがＭ＞１のＤＬサブフレームである場合、ＤＬ  ＰｃｅｌｌでＰＤＳＣＨの受信と関連したＰＵＣＣＨリソースをｎPUCCH,0及びｎPUCCH,1で示し、ＳｃｅｌｌでＨＡＲＱ-ＡＣＫ(ｊ)(０≦ｊ≦Ｍ−１)によるＰＤＳＣＨの受信に関連したＰＵＣＣＨリソースをｎPUCCH,2とｎPUCCH,3で示す場合、ＰＤＣＣＨで対応するＤＡＩ値を有するＰＤＳＣＨに対するＡＣＫ/ＮＡＣＫ/ＤＴＸ応答は‘ｊ＋１’と同一であり、ＵＥは、Ｍ＝３の場合に＜表４＞により、Ｍ＝４の場合には＜表５Ａ＞及び＜表５Ｂ＞によりチャンネル選択を遂行し、ＰＵＣＣＨリソースｎPUCCHでＱＰＳＫ変調{ｂ(０)，ｂ(１)}を用いてＨＡＲＱ-ＡＣＫ信号を送信する。＜表４＞で最後の状態と＜表５Ａ＞及び＜表５Ｂ＞で最後の２個の状態に対して、ＵＥは、有効ＰＵＣＣＨリソースを決定できないので、ＰＵＣＣＨで送信がない。値‘ＡＮＹ’は、‘ＡＣＫ’又は‘ＮＡＣＫ/ＤＴＸ’であり得る。
【００４４】
【表４】
0006022543.tif 000012
【００４５】
【表５Ａ】
0006022543.tif 000013
【００４６】
【表５Ｂ】
0006022543.tif 000014
【００４７】
単一セル動作の場合、チャンネル選択を利用するＨＡＲＱ-ＡＣＫ多重化は、Ｍ＝３である場合に対する＜表３＞の例で説明したように、ＰＵＣＣＨでＨＡＲＱ-ＡＣＫ状態の数を伝達する一方、ＰＵＳＣＨのＨＡＲＱ-ＡＣＫ送信は、バンドリングウィンドウで各ＤＬサブフレームの間(又はＰＵＳＣＨ送信をスケジューリングするＵＬ  ＳＡでＤＡＩ  ＩＥにより特定される多くのＤＬサブフレームの間)に各情報ビットを伝達する。したがって、最大Ｍ個のＨＡＲＱ-ＡＣＫ情報ビットが伝達される。しかしながら、ＰＵＳＣＨでＨＡＲＱ-ＡＣＫ送信に対する同一の方式が多重セル(Down  Link  Carrier  Aggregation：ＤＬ  ＣＡ)動作に対して適用される場合、ＨＡＲＱ-ＡＣＫ情報ビットの最大個数は、ＵＥに構成されるセルの数と線形的に(linearly)比例する。しかしながら、ＰＵＣＣＨでチャンネル選択を用いるＨＡＲＱ-ＡＣＫ多重化で構成されるＵＥに対するＰＵＳＣＨでＨＡＲＱ-ＡＣＫ情報ビットの数を増加させると、要求されるＨＡＲＱ-ＡＣＫ受信信頼性を提供できず、たびたびＨＡＲＱ-ＡＣＫ情報を送信するのに使用されるチャンネル、ＰＵＣＣＨ又はＰＵＳＣＨに従って動作も異なるようになるという問題があった。
【発明の概要】
【発明が解決しようとする課題】
【００４８】
したがって、本発明は、上記従来技術において少なくとも言及された限界及び問題点を解決し、少なくとも後述する長所を提供するように考案される。
【００４９】
本発明の目的は、時分割デュプレックス(ＴＤＤ)通信システムにおいて、一つ以上のダウンリンクデータチャンネルを介して受信されたデータ送信ブロック(Transport Block:ＴＢ)に対する確認応答情報を効率的に送信する方法を提供することにある。
【００５０】
本発明の他の目的は、ＰＵＣＣＨでチャンネル選択を利用する多重化を用いてＨＡＲＱ-ＡＣＫ情報を送信する場合、ＴＤＤシステムで２個以上のセルで構成されたＵＥがＰＵＳＣＨでＨＡＲＱ-ＡＣＫ情報を送信するための方法を提供することにある。
【００５１】
また、本発明の目的は、ＰＵＳＣＨで送信されたＨＡＲＱ-ＡＣＫビットとこれらビットが表される情報との間のマッピングを提供することにある。
【００５２】
さらに、本発明の目的は、ＵＥがＰＵＳＣＨで送信したＨＡＲＱ-ＡＣＫビットにより表される情報に対してＮｏｄｅ ＢとＵＥとの間の同一の理解(understanding)を提供することにある。
【課題を解決するための手段】
【００５３】
上記のような目的を達成するために、本発明の一態様によれば、時分割デュプレックス(ＴＤＤ)通信システムにおいて、端末(ＵＥ)が一つ以上のダウンリンクデータチャンネルを介して受信されたデータ送信ブロック(ＴＢ)に対する応答で確認応答情報を送信する方法であって、第１の条件が適用される場合、各データ送信ブロックの受信結果を該当確認応答ビットで各々示す確認応答情報を生成するステップと、第２の条件が適用される場合、複数のデータ送信ブロックに対する受信結果の状態を共同で表す確認応答情報を生成するステップと、アップリンクデータチャンネルで生成された確認応答情報を送信するステップとを有する。
【００５４】
本発明の他の態様によれば、時分割デュプレックス(ＴＤＤ)通信システムにおいて、一つ以上のダウンリンクデータチャンネルを介して受信されたデータ送信ブロックに応答して確認応答情報を送信する端末(ＵＥ)であって、第１の条件が適用される場合、各データ送信ブロック(ＴＢ)に対する受信結果を該当確認応答ビットで各々表す確認応答情報を生成し、第２の条件が適用される場合、複数のデータ送信ブロックに対する受信結果の状態を共同で示す確認応答情報を生成する制御器と、アップリンクデータチャンネルで前記生成された確認応答情報を送信する送信器とを含む。
【００５５】
本発明の他の態様によれば、時分割デュプレックス(ＴＤＤ)通信システムにおいて、ユーザー装置(ＵＥ)が一つ以上の物理的ダウンリンクデータチャンネル(ＰＤＳＣＨ)で受信されたデータ送信ブロック(ＴＢ)の正確な検出又は不正確な検出に応答し、あるいは送信時間間隔(ＴＴＩ)でＰＤＳＣＨ送信を解除する制御チャンネルの検出に応答して、物理的アップリンクデータチャンネル(ＰＵＳＣＨ)で確認応答情報ビットを送信する方法が提供される。上記方法は、第１の条件が適用される場合、各ＴＴＩでデータＴＢ又はＰＤＳＣＨ送信を解除するデータＴＢの検出に対する結果を各確認応答情報ビットで表現するステップと、第２の条件が適用される場合、各ＴＴＩでデータＴＢ又はＰＤＳＣＨ送信を解除する制御チャンネルの検出に対する結果のセットをすべての確認応答情報ビットで共同で表現するステップと、ＰＵＳＣＨで確認応答情報ビットを送信するステップとを有する。
【００５６】
また、本発明の他の態様によれば、時分割デュプレックス(ＴＤＤ)通信システムにおいて、２個のセルにわたって物理的ダウンリンクデータチャンネル(ＰＤＳＣＨ)を受信するように構成されたユーザー装置(ＵＥ)が一つ以上のＰＤＳＣＨで受信されたデータ送信ブロック(ＴＢ)の正確な検出又は不正確な検出に応答し、あるいはＴＴＩでＰＤＳＣＨ送信を解除する制御チャンネルの検出に応答して、物理的アップリンクデータチャンネル(ＰＵＳＣＨ)又は物理的アップリンク制御チャンネル(ＰＵＣＣＨ)で確認応答情報を送信する方法が提供される。上記方法は、２個の構成セルのうち第１のセルでデータＴＢ又はＰＤＳＣＨ送信を解除する制御チャンネルの検出に対する結果の第１のセットと、２個の構成セルのうち第２のセルでデータＴＢ又はＰＤＳＣＨ送信を解除する制御チャンネルの検出に対する結果の第２のセットとを共同で表現し、ここで、結果の第１のセット及び第２のセットの各要素は固有にＴＴＩのうちいずれか一つに対応するステップと、送信がＰＵＣＣＨにある場合、第１のセット及び第２のセットを伝達するために４位相偏移変調(ＱＰＳＫ)を用いて変調された信号を送信するために、４個のＰＵＣＣＨリソースから一つのＰＵＣＣＨリソースと４個のコンステレーションポイントから一つのコンステレーションポイントを選択するステップと、送信がＰＵＳＣＨにある場合、第１のセット及び第２のセットを表現するために４個の確認応答情報ビットの値の組み合わせを選択するステップと、ＰＵＣＣＨ又はＰＵＳＣＨで確認応答情報を送信するステップとを有する。
【００５７】
さらに、本発明の他の態様によれば、時分割デュプレックス(ＴＤＤ)通信システムにおいて、２個のセルにわたって物理的ダウンリンクデータチャンネル(ＰＤＳＣＨ)を受信するように構成されたユーザー装置(ＵＥ)が一つ以上のＰＤＳＣＨで受信されたデータ送信ブロック(ＴＢ)の正確な検出又は不正確な検出に応答し、あるいは送信時間間隔(ＴＴＩ)でＰＤＳＣＨ送信を解除する制御チャンネルの検出に応答して、物理的アップリンクデータチャンネル(ＰＵＳＣＨ)又は物理的アップリンク制御チャンネル(ＰＵＣＣＨ)で確認応答情報を送信する方法が提供される。上記方法は、２個の構成セルのうち第１のセルでデータＴＢ又はＰＤＳＣＨ送信を解除する制御チャンネルの検出に対する結果の第１のセットと、２個の構成セルのうち第２のセルでデータＴＢ又はＰＤＳＣＨ送信を解除する制御チャンネルの検出に対する結果の第２のセットとを共同で表現し、ここで、上記結果の第１のセット及び第２のセットの各要素は固有にＴＴＩのうちいずれか一つに対応するステップと、結果の第１のセットが上記セットのうち所定の第１のセットに含まれ、結果の第２のセットがこれらセットのうち所定の第２のセットに含まれると判断するステップと、確認応答情報の送信がＰＵＳＣＨにある場合、第１のセット及び第２のセットを表現するために４個の確認応答情報ビットの値の組み合わせを選択するステップと、送信がＰＵＳＣＨにある場合に確認応答情報を送信し、あるいは送信がＰＵＣＣＨにある場合に確認応答情報の送信を一時停止するステップとを有する。
【００５８】
本発明の他の態様によれば、時分割デュプレックス(ＴＤＤ)通信システムにおいて、一つ以上の物理的ダウンリンクデータチャンネル(ＰＤＳＣＨ)で受信されたデータ送信ブロック(ＴＢ)の正確な検出又は不正確な検出に応答し、送信時間間隔(ＴＴＩ)でＰＤＳＣＨ送信を解除する制御チャンネルの検出に応答して、物理的アップリンクデータチャンネル(ＰＵＳＣＨ)で確認応答情報ビットを送信するユーザー装置(ＵＥ)が提供される。ＵＥ装置は、第１の条件が適用される場合、ＴＴＩの各々でデータＴＢ又はＰＤＳＣＨ送信を解除する制御チャンネルの検出に対する結果を各確認応答情報ビットにマッピングするマッパと、第２の条件が適用される場合、ＴＴＩの各々でデータＴＢ又はＰＤＳＣＨ送信を解除する制御チャンネルの検出に対する結果のセットをすべての確認応答情報ビットに共同でマッピングするマッパと、確認応答情報ビットを符号化するエンコーダと、ＰＵＳＣＨで符号化された確認応答情報ビットを多重化するマルチプレクサと、ＰＵＳＣＨを送信する送信器とを含む。
【００５９】
本発明の他の態様によれば、時分割デュプレクサ(ＴＤＤ)通信システムにおいて、一つ以上の物理的ダウンリンクデータチャンネル(ＰＤＳＣＨ)で受信されたデータ送信ブロック(ＴＢ)の正確な検出又は不正確な検出に応答し、送信時間間隔(ＴＴＩ)でＰＤＳＣＨ送信を解除する制御チャンネルの検出に応答して、物理的アップリンクデータチャンネル(ＰＵＳＣＨ)又は物理的アップリンク制御チャンネル(ＰＵＣＣＨ)で確認応答情報を送信するユーザー装置(ＵＥ)が提供される。上記装置は、２個の構成セルのうち第１のセルでデータＴＢ又はＰＤＳＣＨ送信を解除する制御チャンネルの検出に対する結果の第１のセットと、２個の構成セルのうち第２のセルでデータＴＢ又はＰＤＳＣＨ送信を解除する制御チャンネルの検出に対する結果の第２のセットを共同でマッピングし、上記結果の第１のセット及び第２のセットの各要素は固有にＴＴＩのうちいずれか一つに対応するマッパと、送信がＰＵＣＣＨにある場合、第１のセット及び第２のセットを伝達するためにＱＰＳＫを用いて変調された信号を送信するために４個のＰＵＣＣＨリソースから一つのＰＵＣＣＨと４個のコンステレーションから一つのコンステレーションを選択する選択器と、送信がＰＵＳＣＨにある場合、第１のセット及び第２のセットを表現するために４個の確認応答情報ビットの値の組み合わせを選択する選択器と、ＰＵＣＣＨ又はＰＵＳＣＨで確認応答情報を送信する送信器とを含む。
【００６０】
本発明の他の実施形態によると、時分割デュプレックス(ＴＤＤ)通信システムにおいて、一つ以上の物理的ダウンリンクデータチャンネル(ＰＤＳＣＨ)で受信されたデータ送信ブロック(ＴＢ)の正確な検出又は不正確な検出に応答し、送信時間間隔(ＴＴＩ)にわたったＰＤＳＣＨ送信を解除する制御チャンネルの検出に応答して、物理的アップリンクデータチャンネル(ＰＵＳＣＨ)又は物理的アップリンク制御チャンネル(ＰＵＣＣＨで確認応答情報を送信するユーザー装置(ＵＥ)が提供される。上記装置は、２個の構成セルのうち第１のセルでデータＴＢ又はＰＤＳＣＨ送信を解除する制御チャンネルの検出に対する結果の第１のセットと、２個の構成セルのうち第２のセルでデータＴＢ又はＰＤＳＣＨ送信を解除する制御チャンネルの検出に対する結果の第２のセットを共同でマッピングし、上記結果の第１のセット及び第２のセットの各要素は固有にＴＴＩのうちいずれか一つに対応するマッパと、結果の第１のセットがこれらセットのうち所定の第１のセットに含まれ、結果の第２のセットがこれらセットのうち所定の第２のセットに含まれると判断する比較器と、確認応答情報の送信がＰＵＳＣＨにある場合、第１のセット及び第２のセットを表現するために４個の確認応答情報ビットの値の組み合わせを選択する選択器と、送信がＰＵＳＣＨにある場合に、確認応答情報を送信し、あるいは送信がＰＵＣＣＨにある場合に、確認応答情報の送信を保留する送信器とを含む。
【００６１】
本発明による実施形態の上記及び他の態様、特徴、及び利点は、添付の図面と共に述べる以下の詳細な説明から、一層明らかになるはずである。
【図面の簡単な説明】
【００６２】
【図１】ＰＵＳＣＨ又はＰＵＣＣＨに対する従来のＴＴＩを示す図である。
【図２】ＰＵＣＣＨサブフレームスロットで従来のＨＡＲＱ-ＡＣＫ送信構造を示す図である。
【図３】ＰＵＣＣＨに対する従来の送信器を示すブロック構成図である。
【図４】ＰＵＣＣＨに対する従来の受信器を示すブロック構成図である。
【図５】ＰＵＳＣＨでデータ及びＨＡＲＱ-ＡＣＫに対する従来の送信器を示すブロック構成図である。
【図６】ＰＵＳＣＨでデータ及びＨＡＲＱ-ＡＣＫに対する従来の受信器を示すブロック構成図である。
【図７】本発明の一実施形態により、構成されたセルの数及びバンドリングウィンドウの値に従ってＨＡＲＱ-ＡＣＫビット表現を識別する方法を示すフローチャートである。
【図８】本発明の一実施形態により、バンドリングウィンドウの値に基づき、２個のセルで構成されたＵＥに関するＨＡＲＱ-ＡＣＫ情報の符号化及び復号化過程を示すフローチャートである。
【図９】本発明の一実施形態により、Ｍ＝３又はＭ＝４サブフレームの場合、送信がＰＵＣＣＨ又はＰＵＳＣＨにあるか否かに従って、ＨＡＲＱ-ＡＣＫ状態の符号化及び復号化過程を示すフローチャートである。
【図１０】本発明の一実施形態により、ＰＵＳＣＨでデータ及びＨＡＲＱ-ＡＣＫ情報を送信する送信器を示すブロック構成図である。
【図１１】本発明の一実施形態により、ＰＵＳＣＨでデータ及びＨＡＲＱ-ＡＣＫ情報を受信する受信器を示すブロック構成図である。
【発明を実施するための形態】
【００６３】
以下、本発明の望ましい実施形態を添付の図面を参照して詳細に説明する。
【００６４】
本発明は、多様な実施形態で実現され、ここで記述される実施形態に制限するように解釈されてはならない。このような実施形態は、本開示が徹底かつ完壁になるように提供され、本発明の範囲を当業者に完全に伝達するはずである。
【００６５】
また、本発明の実施形態はＤＦＴ分散ＯＦＤＭ送信を参照して後述するが、本発明は、単一キャリア周波数分割多重接続(ＳＣ-ＦＤＭＡ)及びＯＦＤＭのような周波数分割多重化(ＦＤＭ)送信に適用可能である。
【００６６】
ＰＵＳＣＨでＨＡＲＱ-ＡＣＫ送信のための下記の説明において、Ｍの値(すなわち、ＵＥがＨＡＲＱ-ＡＣＫ情報を提供するＰＤＳＣＨの数又はバンドリングウィンドウのサイズ又はＴＴＩの数)は、ＴＤＤシステムの特定構成に対するバンドリングウィンドウサイズにより定義されるように固定され、あるいはＵＬ  ＳＡが存在する場合、ＰＵＳＣＨ送信をスケジューリングするＰＤＣＣＨにより伝達されるＵＬ  ＳＡでＤＡＩ  ＩＥの値により定義されるように可変的であり得る。さらに、単純さのために、下記の説明は、ＨＡＲＱ-ＡＣＫ情報がＰＤＳＣＨ受信に応答して生成されると仮定するが、ＨＡＲＱ-ＡＣＫ情報は、ＰＤＳＣＨ受信をスケジューリングしないＰＤＣＣＨに応答して生成され、その代りに半永久的スケジューリングされた(Semi-Persistently  Scheduled)ＰＤＳＣＨの解除を示す。
【００６７】
本発明の一実施形態によれば、ＵＥは、ＴＤＤシステムで２個のＤＬセル(Ｐｃｅｌｌ及びＳｃｅｌｌ)で構成され、ＨＡＲＱ-ＡＣＫ状態のマッピングは、＜表４＞及び＜表５Ａ＞及び＜表５Ｂ＞(各々Ｍ＝３及びＭ＝４の場合)に示したようにＰＵＳＣＨでＨＡＲＱ-ＡＣＫ情報を符号化するために使用されるＲＭ符号の入力ビットに対して遂行される。このマッピングは、ＰＵＣＣＨでチャンネル選択を利用したＨＡＲＱ-ＡＣＫ多重化が異なるＨＡＲＱ-ＡＣＫ状態を伝達する４個のＨＡＲＱ-ＡＣＫ情報ビットのみに対してサポートされると仮定するので、ＲＭ符号に入力されるＨＡＲＱ-ＡＣＫ情報ビットの数が４に制限されるという制約下に遂行される。すなわち、４個の使用可能なリソースの中からＰＵＣＣＨリソースの選択を通じて２個のビットが伝達され、他の２個のビットは各コンステレーションポイントによりＱＰＳＫ変調信号を通じて伝達される。
【００６８】
各ＨＡＲＱ-ＡＣＫ情報ビットがＰＤＳＣＨで各データＴＢ受信の結果を表す従来のＰＵＳＣＨでのＨＡＲＱ-ＡＣＫ送信とは違い、本発明の一実施形態によると、上記の動作シナリオのためのＲＭエンコーダの４個の入力ビットへのＨＡＲＱ-ＡＣＫ情報のマッピングは、＜表４＞、＜表５Ａ＞及び＜表５Ｂ＞に示したように、ＨＡＲＱ-ＡＣＫビットの値に対する組み合わせを伝達するＨＡＲＱ-ＡＣＫ状態を含む(一つのＨＡＲＱ-ＡＣＫ状態は、データＴＢに対する正確な検出又は不正確な検出結果のセットである)。したがって、４個のすべてのＨＡＲＱ-ＡＣＫ情報ビットは共同で考慮され、各ＨＡＲＱ-ＡＣＫビットは(データＴＢに対する個別的正確な検出又は不正確な検出結果を表さないので)それぞれの個別的意味(interpretation)を有しない。このような代替的表現は、ＲＭ符号への４個の入力ビットがＭ＝３又はＭ＝４に対する２個のセルで各ＰＤＳＣＨのデータＴＢ受信の各結果に対するすべての可能な組み合わせを表すのに十分でないためである(すなわち、各々６又は８ビットが必要である)。
【００６９】
逆に、Ｍ＝２である場合、ＲＭエンコーダへの４個の入力ビットは、バンドリングウィンドウの各サブフレーム及び２個のセル(Ｐｃｅｌｌ及びＳｃｅｌｌ)の各々に対してＰＤＳＣＨでデータＴＢ受信の結果に関する各ＨＡＲＱ-ＡＣＫ情報を提供できる。例えば、４個のビットのうち２個はＰｃｅｌｌに関するＨＡＲＱ-ＡＣＫ情報を表すために使用し、他の２個はＳｃｅｌｌに関するＨＡＲＱ-ＡＣＫ情報を表すために使用することができ、２個のビットのうち第１のビットはＭ＝２サブフレームのうち１番目に対応し、２個のビットのうち第２のビットはサブフレームのうち２番目に対応する。Ｍ＝１である場合、ＲＭエンコーダへの２個の入力ビットは、各々Ｐｃｅｌｌ及びＳｃｅｌｌでＰＤＳＣＨ受信の結果に関するそれぞれのＨＡＲＱ-ＡＣＫ情報を提供できる。
【００７０】
図７は、本発明の一実施形態により、構成されるセルの数とバンドリングウィンドウの値に従ってＨＡＲＱ-ＡＣＫビット表現を識別する方法を示すフローチャートである。
【００７１】
図７を参照すると、ＰＵＳＣＨ送信器とＰＵＳＣＨ受信器の場合、ＰＵＳＣＨでＨＡＲＱ-ＡＣＫ情報ビットの意味は、ステップ７１０で、ＵＥが一つ又は２個のセルで構成されるか否かに基づく。ＵＥが一つのセルで構成される場合、ステップ７２０において、ＰＵＳＣＨ送信器又は受信器は、Ｍの値に関係なく、各ＨＡＲＱ-ＡＣＫ情報ビットが対応するＰＤＳＣＨでＴＢの受信に対する結果(例えば、２進数‘１’に対してＡＣＫ、又は２進数‘０’に対してはＮＡＣＫ/ＤＴＸ)を表現すると判断する。これは、ＰＤＳＣＨが複数のＴＢを伝達する場合、ＨＡＲＱ-ＡＣＫ空間ドメインバンドリングが適用され、ＤＴＸ状態とＮＡＣＫ状態が共同で表現され、明示上ＤＴＸフィードバックがＰＵＳＣＨでサポートされないと仮定する。一方、その反対の場合にも適用可能である。
【００７２】
ＵＥが２個のセルで構成される場合、ＨＡＲＱ-ＡＣＫ情報ビットの表現は、ステップ７３０でＭの値に基づく。Ｍが２より小さいか等しい場合、ステップ７４０で、ＰＵＳＣＨ送信器又は受信器は、各ＨＡＲＱ-ＡＣＫ情報ビットが該当ＰＤＳＣＨでＴＢの受信に対する結果(２進数‘１’に対してはＡＣＫ又は２進数‘０’に対してはＮＡＣＫ/ＤＴＸ)を表現すると判断する。しかしながら、Ｍが２より大きい場合、ステップ７５０で、ＰＵＳＣＨ送信器又は受信器は、各ＨＡＲＱ-ＡＣＫ情報ビットが情報も提供せず、すべてのＨＡＲＱ-ＡＣＫ情報ビットがセルとＨＡＲＱ-ＡＣＫ情報がＵＥにより提供されるすべてのＰＤＳＣＨに対応するＨＡＲＱ-ＡＣＫ状態(各ＰＤＳＣＨでデータＴＢの正確な検出又は不正確な検出に対する結果のセット)を示すために共同で考慮されると判断する。
【００７３】
【数８】
0006022543.tif 000015
【００７４】
【数９】
0006022543.tif 000016
【００７５】
【表６Ａ】
0006022543.tif 000017
【００７６】
【表６Ｂ】
0006022543.tif 000018
【００７７】
【表７Ａ】
0006022543.tif 000019
【００７８】
【表７Ｂ】
0006022543.tif 000020
【００７９】
【表７Ｃ】
0006022543.tif 000021
【００８０】
【数１０】
0006022543.tif 000022
【００８１】
【表８】
0006022543.tif 000023
【００８２】
【表９】
0006022543.tif 000024
【００８３】
図８は本発明の一実施形態により、バンドリングウィンドウの値に従って２個のセルで構成されたＵＥに関するＨＡＲＱ-ＡＣＫ情報の符号化及び復号化を示す。
【００８４】
図８を参照すれば、２個のセルで構成されたＵＥ及びＰＵＳＣＨ送信器及びＰＵＳＣＨ受信器の各々に対する符号化及び復号化は、ステップ８１０でＭの値に基づく。Ｍが２より小さい場合、ステップ８２０において、各ＨＡＲＱ-ＡＣＫ情報ビットは、各ＰＤＳＣＨ受信の結果(例えば、ＡＣＫ又はＮＡＣＫ/ＤＴＸ)を表現する。しかしながら、Ｍが２より大きい場合には、ステップ８３０で、各ＨＡＲＱ-ＡＣＫ情報ビットは、個別的な情報を提供せず、その代りに、４個のすべてのＨＡＲＱ-ＡＣＫ情報ビットは、共同でＭ＝３である場合に対して＜表６Ａ＞及び＜表６Ｂ＞に示すようなマッピング又はＭ＝４である場合に対する＜表７Ａ＞、＜表７Ｂ＞及び＜表７Ｃ＞に示すようなマッピングを用いてＰｃｅｌｌに対するＨＡＲＱ-ＡＣＫ状態(各ＰＤＳＣＨでデータＴＢの正確な検出又は不正確な検出に対する結果のセット)及びＳｃｅｌｌに対するＨＡＲＱ-ＡＣＫ状態を表現すると考えられる。
【００８５】
本発明の他の実施形態によると、ＰＵＳＣＨにＨＡＲＱ-ＡＣＫ情報を含めるためにＵＥとサービングＮｏｄｅ Ｂとの間に同一の理解が成立される。したがって、サービングＮｏｄｅ Ｂは、ＰＵＳＣＨ  ＲＥの特定セットがデータ情報又はＨＡＲＱ-ＡＣＫ情報を伝達するか否かを検出する必要がなく、このような検出は信頼できないためである。ＰＵＣＣＨでＨＡＲＱ-ＡＣＫ信号送信の場合、Ｎｏｄｅ Ｂは候補ＰＵＣＣＨリソースで受信されたエネルギーを算出して信号が送信されるか否かを決定できるので、このような検出は、比較的簡単である。
【００８６】
ＰＵＳＣＨ送信が該当ＰＤＣＣＨの送信を通じてＵＬ  ＳＡによりスケジューリングされると、各ＤＣＩフォーマットは、Ｎｏｄｅ ＢがＰＵＳＣＨでＨＡＲＱ-ＡＣＫ情報を送信することを予想するか否かをＵＥに通知するＤＡＩ  ＩＥを含むと仮定する。このＤＡＩ  ＩＥは、追加情報、例えばＰｃｅｌｌ又はＳｃｅｌｌでＵＥに送信されたＰＤＳＣＨの最大数を提供でき、Ｍの値は、この数と同一に設定され得る。ＰＵＳＣＨ送信がＳＰＳであり、ＵＬ  ＳＡによりスケジューリングされない場合、ＵＥは、バンドリングウィンドウですべてのＤＬサブフレームに対してＰＵＳＣＨにＨＡＲＱ-ＡＣＫ情報を含むことができる。Ｍは、バンドリングウィンドウサイズと同一である。
【００８７】
ＨＡＲＱ-ＡＣＫ情報をＰＵＳＣＨに含めるために(Ｎｏｄｅ ＢはＵＥがＰＵＳＣＨでＨＡＲＱ-ＡＣＫ情報を送信することを予想する場合)、ＵＥがＰＵＣＣＨでＨＡＲＱ-ＡＣＫ信号を送信しない＜表４＞又は、＜表５Ａ＞及び＜表５Ｂ＞に示したようなＨＡＲＱ-ＡＣＫ状態は、Ｍ＝３及びＭ＝４である場合、ＰＵＳＣＨの実際ＨＡＲＱ-ＡＣＫ情報ビットにマッピングされる。
【００８８】
Ｍ＝３である場合、＜表４＞の最後の状態は、＜表６Ａ＞及び＜表６Ｂ＞で最後の２番目の状態と重なり、両方は、ＲＭエンコーダへの{０，０，０，０}入力ビットにより表現される。同様に、Ｍ＝４である場合、＜表５Ａ＞及び＜表５Ｂ＞の最後の２つの状態は、各々ＰｃｅｌｌとＳｃｅｌｌに対する＜表７Ａ＞、＜表７Ｂ＞及び＜表７Ｃ＞の{ＮＡＣＫ，ａｎｙ，ａｎｙ，ａｎｙ}及び{ＮＡＣＫ/ＤＴＸ，ａｎｙ，ａｎｙ，ａｎｙ}状態と重なり、ＲＭエンコーダへの{０，０，０，０}入力ビットにより表現される。
【００８９】
図９は、本発明の一実施形態により、Ｍ＝３又はＭ＝４のサブフレームに対して送信がＰＵＣＣＨにあるか、あるいはＰＵＳＣＨにあるかに基づいてＨＡＲＱ-ＡＣＫ状態の符号化及び復号化過程を示す。
【００９０】
図９を参照すると、ステップ９１０において、Ｍ＝３である場合、Ｐｃｅｌｌで{ＤＴＸ，ａｎｙ，ａｎｙ}状態及びＳｃｅｌｌで{ＮＡＣＫ/ＤＴＸ，ａｎｙ，ａｎｙ}状態の符号化及び復号化、ステップ９２０において、Ｍ＝４である場合、Ｐｃｅｌｌで{ＤＴＸ，ａｎｙ，ａｎｙ，ａｎｙ}状態及びＳｃｅｌｌで{ＮＡＣＫ/ＤＴＸ，ａｎｙ，ａｎｙ，ａｎｙ}又は(｛ＡＣＫ，ＤＴＸ，ＤＴＸ，ＤＴＸ}状態を除外した){ＡＣＫ，ＮＡＣＫ/ＤＴＸ，ａｎｙ，ａｎｙ}状態の符号化及び復号化は、ステップ９３０で、ＨＡＲＱ-ＡＣＫ情報がＰＵＣＣＨで又はＰＵＳＣＨで送信されるか否かに基づく。ＨＡＲＱ-ＡＣＫ情報がＰＵＣＣＨで送信される場合、ステップ９４０で、このようなＨＡＲＱ-ＡＣＫ状態に対してはＨＡＲＱ-ＡＣＫ信号送信がない。ＨＡＲＱ-ＡＣＫ情報がＰＵＳＣＨで送信される場合、{０，０，０，０}ビットは、ステップ９５０で、このようなＨＡＲＱ-ＡＣＫ状態を表現するのに使用される。
【００９１】
図１０は、本発明の一実施形態により、ＰＵＳＣＨでデータ及びＨＡＲＱ-ＡＣＫに対する送信器を示すブロック構成図である。具体的には、図１０において、ＨＡＲＱ-ＡＣＫ情報ビットの表現は、ＵＥを構成するセルの数、及び各ＨＡＲＱ-ＡＣＫ情報ビットが各セルで各ＰＤＳＣＨ受信に対する結果を通知するか、あるいはすべてのＨＡＲＱ-ＡＣＫ情報ビットが共同で２個のセル両方ともＭ回のＰＤＳＣＨ受信に対応するＨＡＲＱ-ＡＣＫ状態を通知するかに基づく。
【００９２】
図１０を参照すると、ＵＥが一つのセルで構成されるか、あるいはＵＥが２個のセルで構成され、Ｍ≦２である場合、各ＨＡＲＱ-ＡＣＫ情報ビットは、図５を参照して説明したように、各ＰＤＳＣＨ受信の結果(ＡＣＫ又はＮＡＣＫ/ＤＴＸ)に対応する。しかしながら、ＵＥが２個のセルで構成され、Ｍ＞２である場合、図１０に示すように、ＵＥ送信器は、２個のセル１０１０の各々に対してＭ回のＰＤＳＣＨ受信に対する結果(ＡＣＫとＮＡＣＫ/ＤＴＸの組み合わせ)が２個のそれぞれのＨＡＲＱ-ＡＣＫ状態を構成し、これらは、例えばＭ＝３に対する＜表６Ａ＞及び＜表６Ｂ＞及びＭ＝４に対する＜表７Ａ＞、＜表７Ｂ＞及び＜表７Ｃ＞に説明したようにマッパ１０２０に提供され、ＨＡＲＱ-ＡＣＫ情報ビット１０３０を発生し、ＲＭデコーダに提供されることを除けば、図５の送信器と同様に動作する。
【００９３】
図１１は、本発明の一実施形態により、ＰＵＳＣＨでデータ及びＨＡＲＱ-ＡＣＫに対する受信器を示すブロック構成図である。より詳細には、図１１において、ＨＡＲＱ-ＡＣＫ情報ビットの表現は、ＵＥを構成するセルの数、及び各ＨＡＲＱ-ＡＣＫ情報ビットが各セルで各ＰＤＳＣＨ受信に対する結果を通知するか、あるいはすべてのＨＡＲＱ-ＡＣＫ情報ビットが共同で２つのセルで両方ともＭ回のＰＤＳＣＨ受信に対応するＨＡＲＱ-ＡＣＫ状態を通知するかに基づく。
【００９４】
図１１を参照すると、ＵＥが一つのセルで構成され、あるいはＵＥが２個のセルで構成され、Ｍ≦２である場合、各ＨＡＲＱ-ＡＣＫ情報ビットは、図６を参照して説明されたように、各ＰＤＳＣＨ受信の結果(ＡＣＫ又はＮＡＣＫ/ＤＴＸ)に対応する。しかしながら、ＵＥが２個のセルで構成され、Ｍ＞２である場合、図１１に示すように、Ｎｏｄｅ  Ｂ受信器は、ＨＡＲＱ-ＡＣＫ情報ビット１１１０に対するデコーダ出力が、例えばＭ＝３に対する＜表６Ａ＞及び＜表６Ｂ＞及びＭ＝４に対する＜表７Ａ＞、＜表７Ｂ＞及び＜表７Ｃ＞に説明したように、マッパ１１２０に提供され、２個のセル各々に対するＭ回のＰＤＳＣＨ受信に対する結果１１３０(ＡＣＫ及びＮＡＣＫ/ＤＴＸの組み合わせ)を示す２個のＨＡＲＱ-ＡＣＫ情報状態を発生することを除けば、図６の受信器と同様に動作する。
【００９５】
本発明の実施形態に示した送信器及び受信器に含まれる一つ以上のブロックは制御器で実現され、この制御器は、本発明による確認応答ビット(すなわち、確認応答情報)を生成又は受信することができる。
【００９６】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００９７】
３１０  ＣＡＺＡＣベースのシーケンス
３２０  選択器
３３０  サブキャリアマッパ
３４０  ＩＦＦＴ部
３５０  サイクリックシフタ
３６０  ＣＰ挿入器
３７０  時間ウィンドウイングフィルタ
４１０  デジタル信号
４２０  時間ウィンドウイングフィルタ
４３０  ＣＰ除去器
４４０  ＣＳ復元器
４５０  高速フーリエ変換（ＦＦＴ）部
４６０  サブキャリアデマッパ
４６５  選択器
４７０  乗算器
４８０  ＣＡＺＡＣシーケンス
５０５  データ情報ビット
５１０  ＨＡＲＱ−ＡＣＫ情報ビット
５１５  データエンコーダ
５２０  ＲＭエンコーダ
５３０  パンクチャ/挿入器
５４０  ＤＦＴ部
５５０  サブキャリアマッパ
５５５  選択器
５６０  ＩＦＦＴ部
５７０  ＣＰ挿入器
５８０  時間ウィンドウイングフィルタ
６１０  デジタル信号
６２０  時間ウィンドウイングフィルタ
６３０  ＣＰ除去器
６４０  ＦＦＴ部
６５０  サブキャリアデマッパ
６５５  選択器
６６０  逆ＤＦＴ(ＩＤＦＴ)部
６７０  デマルチプレクサ
６８０  データデコーダ
６８５  ＲＭデコーダ
６９０  データ情報ビット
６９５  ＨＡＲＱ−ＡＣＫ情報ビット
【図１】
0006022543.tif 000025
【図２】
0006022543.tif 000026
【図３】
0006022543.tif 000027
【図４】
0006022543.tif 000028
【図５】
0006022543.tif 000029
【図６】
0006022543.tif 000030
【図７】
0006022543.tif 000031
【図８】
0006022543.tif 000032
【図９】
0006022543.tif 000033
【図１０】
0006022543.tif 000034
【図１１】
0006022543.tif 000035